(57)【要約】【課題】複数の電子ビームの走査速度をそれぞれ独立に変調できるようにする。【解決手段】電子銃から上下の位置関係で出射された２本の電子ビーム１９Ａ，１９Ｂを偏向ヨークの水平偏向磁界によって水平方向に偏向することにより、２本の電子ビーム１９Ａ，１９Ｂの各々を蛍光面上で水平方向に走査する投写用陰極線管の構成として、２本の電子ビーム１９Ａ，１９Ｂの各々を蛍光面上で水平方向に走査する際の走査速度を変調する速度変調磁界を発生し、かつ、速度変調磁界の磁界分布を６つのコイル２４Ａ〜２４Ｆを用いて上下非対称の６極磁界とした速度変調コイル１７を備える。【選択図】　　　　図５
2004080651.tif 000002
【特許請求の範囲】
【請求項１】
電子銃から上下の位置関係で出射された複数の電子ビームを偏向ヨークの水平偏向磁界によって水平方向に偏向することにより、前記複数の電子ビームの各々を蛍光面上で水平方向に走査する投写用陰極線管であって、
前記複数の電子ビームの各々を蛍光面上で水平方向に走査する際の走査速度を変調する速度変調磁界を発生し、かつ、前記速度変調磁界の磁界分布を上下非対称の６極以上の多極磁界とした速度変調コイルを備える
ことを特徴とする投写用陰極線管。
【請求項２】
前記複数の電子ビームの各々に対応する複数の速度変調コイルを備えるとともに、前記複数の速度変調コイルを陰極線管の中心軸方向に位置をずらして配置してなる
ことを特徴とする請求項１記載の投写用陰極線管。
【請求項３】
電子銃から上下の位置関係で出射された複数の電子ビームを偏向ヨークの水平偏向磁界によって水平方向に偏向することにより、前記複数の電子ビームの各々を蛍光面上で水平方向に走査する投写用陰極線管を用いた投写型表示装置であって、
前記投写用陰極線管は、前記複数の電子ビームの各々を蛍光面上で水平方向に走査する際の走査速度を変調する速度変調磁界を発生し、かつ、前記速度変調磁界の磁界分布を上下非対称の６極以上の多極磁界とした速度変調コイルを備える
ことを特徴とする投写型表示装置。
【請求項４】
前記投写用陰極線管は、前記複数の電子ビームの各々に対応する複数の速度変調コイルを備えるとともに、前記複数の速度変調コイルを陰極線管の中心軸方向に位置をずらして配置してなる
ことを特徴とする請求項３記載の投写型表示装置。
【発明の詳細な説明】
【０００１】
【発明の属する技術分野】
本発明は、表示画像の鮮鋭度を向上させるために電子ビームの水平方向の走査速度を変調する速度変調コイルを有する投写用陰極線管とこれを用いた投写型表示装置に関する。
【０００２】
【従来の技術】
一般に、投写用陰極線管を用いた投写型表示装置（例えば、投写型テレビジョン装置）においては、赤色画像用、緑色画像用、青色画像用の３つの投写用陰極線管をスクリーンから所定距離だけ離れた位置に並べて配置し、それら３つの投写用陰極線管のフェースプレートに表示された再生画像をスクリーン上で重ね合わせることにより、各々の投写用陰極線管のフェースプレートに表示された再生画像よりも拡大された投写画像をスクリーンに表示する仕組みになっている。
【０００３】
図９は投写型表示装置の要部の概略構成を示す説明図である。赤色画像用の投写用陰極線管４１Ｒ、緑色画像用の投写用陰極線管４１Ｇ、青色画像用の投写用陰極線管４１Ｂには、それぞれパネル部フェースプレート４２Ｒ，４２Ｇ，４２Ｂが設けられている。
【０００４】
また、赤色画像用の投写用陰極線管４１Ｒのパネル部フェースプレート４２Ｒの近傍には、これと中心軸を一致させた状態で赤色画像用投写レンズ４３Ｒが対向状態に配置されている。同様に、緑色画像用の投写用陰極線管４１Ｇのパネル部フェースプレート４２Ｇの近傍には、これと中心軸を一致させた状態で緑色画像用投写レンズ４３Ｇが対向状態に配置され、青色画像用の投写用陰極線管４１Ｂのパネル部フェースプレート４２Ｂの近傍には、これと中心軸を一致させた状態で青色画像用投写レンズ４３Ｂが対向状態に配置されている。映写スクリーン４５は、その中心軸を、緑色画像用の投写用陰極線管４１Ｇ及び緑色画像用投写レンズ４３Ｇの各中心軸に一致させた状態で、緑色画像用投写レンズ４３Ｇから所定の距離を隔てて対向状態に配置されている。
【０００５】
図１０は投写型表示装置に用いられる投写用陰極線管の構成例を示す断面図である。この投写用陰極線管４８のガラス製のバルブは、パネル部４９ａと、このパネル部４９ａに接合されるファンネル部４９ｂと、このファンネル部４９ｂから一体に延出したネック部４９ｃとからなり、ファンネル部４９ｂのネック部に電子銃５１が内蔵されている。パネル部４９ａは、その前面にフェースプレート４９ａ−１を有している。フェースプレート４９ａ−１の内側には、単色蛍光面４９ａ−２と、メタルバックとなるアルミニウム蒸着膜５０が形成されている。アルミニウム蒸着膜５０は、必要に応じて形成されるものである。
【０００６】
ファンネル部４９ｂの外周には、主偏向ヨーク５３が装着されるとともに、主偏向ヨーク５３よりネック部４９ｃ側にはサブ偏向ヨーク５４と速度変調コイル５５が装着されている。サブ偏向ヨーク５４は、上記図９に示す映写スクリーン４５上に現れる３色の画像の光学的な歪みを調整（補正）するためのものである。速度変調コイル５５は、電子ビームの水平方向の走査速度を変調することにより、映像の輪郭部分（明暗のメリハリ）を強調し、表示画像の鮮鋭度を向上させるためのものである。
【０００７】
図１１は従来の速度変調コイルの構成を示すもので、（ａ）はその側面模式図、（ｂ）はその正面模式図である。図１１において、電子銃５１のカソードから放出された１本の電子ビーム５９は、電子銃５１の第１グリッド電極Ｇ１から第４グリッド電極Ｇ４を通してネック部４９ｃ内を進行する。速度変調コイル５５は、サドル形状に巻かれた上下一対のコイル５７，５８によって構成されている。ここでは、陰極線管の中心軸（以下、管軸ともいう）に対して、コイル５７，５８が向かい合う方向（図の上下方向）を垂直方向とし、この垂直方向と直交する方向を水平方向とする。速度変調コイル５５を構成するコイル５７，５８に速度変調を行うための電流、すなわち映像信号の輝度信号を２回微分して得られる波形の電流（以下、速度変調電流ともいう）を流すと、図１１（ｂ）の下向き矢印で示すように垂直方向に沿う２極の速度変調磁界が発生する。この速度変調磁界は、ネック部４９ｃ内を管軸方向に沿って移動する電子ビーム５９に対して、水平方向の力（偏向力）を作用させる。そのため、電子ビーム５９の水平方向の走査速度は、速度変調磁界によって作用する力に応じて変調される。このとき、電子ビーム５９の水平方向の走査速度は、表示画面上で輝度が大きく変化するところ、例えば白部分（明るい部分）と黒部分（暗い部分）の境界において、輝度の高い側（白側）では走査速度が瞬間的に遅く、輝度の低い側（黒側）では走査速度が瞬間的に速くなるように変調される。こうして速度変調された電子ビーム５９は、上記サブ偏向ヨーク５４及び主偏向ヨーク５３で所定方向に偏向された後、赤色、緑色、青色のいずれかの単色蛍光面４９ａ−２に投射される。
【０００８】
【発明が解決しようとする課題】
上述したような投射型陰極線管４８は１本の電子ビーム５９を放射するものであるが、これ以外にも、表示画像の輝度を向上させるために複数の電子ビームを放射するものが考えられる。複数の電子ビームを放射するタイプ（マルチビームタイプとも呼ばれる）のものでは、例えば２本の電子ビームで蛍光面の同じ位置を走査すると、蛍光体の輝度の飽和によって２倍の明るさが得られない。そのため、２本の電子ビームの走査位置を例えば垂直方向に１０Ｈ（水平走査線数）程度の間隔でずらすことにより、蛍光体の輝度の飽和を回避して２倍の明るさが得られるようにしている。このように走査位置をずらして複数の電子ビームを放射するタイプのものでは、例えば図１２に示すように２本の電子ビーム５９Ａ，５９Ｂが垂直方向（上下方向）の異なる位置でネック部４９ｃ内を進行することになる。
【０００９】
一方、速度変調コイル５５は、上側のコイル５７と下側のコイル５８によってほぼ斉一に近い２極の速度変調磁界を形成するため、上述のように垂直方向の異なる位置で２本の電子ビーム５９Ａ，５９Ｂがネック部４９ｃ内を進行するとなると、２本の電子ビーム５９Ａ，５９Ｂが速度変調磁界によって同様に速度変調されることになる。これに対して、各々の電子ビーム５９Ａ，５９Ｂの走査位置は、蛍光体の輝度の飽和を避けるために垂直方向に１０Ｈ程度の間隔をあけて設定され、これに対応して各々の電子ビーム５９Ａ，５９Ｂの映像信号も互いに１０Ｈ程度のタイミングをずらして設定されている。そのため、２極の速度変調磁界で２本の電子ビーム５９Ａ，５９Ｂを同様に速度変調するものでは、一方の電子ビーム（例えば、上側の電子ビーム５９Ａ）の映像信号に適したタイミングで速度変調磁界を形成すると、他方の電子ビーム（例えば、下側の電子ビーム５９Ｂ）の映像信号では速度変調磁界が不適切なタイミングで作用し、結果的に明暗縞などの発生によって画質の劣化を招いてしまう。
【００１０】
本発明は、上記課題を解決するためになされたもので、その目的とするところは、複数の電子ビームの走査速度をそれぞれ独立に変調することが可能な投写用陰極線管とこれを用いた投写型表示装置を提供することにある。
【００１１】
【課題を解決するための手段】
本発明に係る投写用陰極線管は、電子銃から上下の位置関係で出射された複数の電子ビームを偏向ヨークの水平偏向磁界によって水平方向に偏向することにより、複数の電子ビームの各々を蛍光面上で水平方向に走査する投写用陰極線管であって、複数の電子ビームの各々を蛍光面上で水平方向に走査する際の走査速度を変調する速度変調磁界を発生し、かつ、速度変調磁界の磁界分布を上下非対称の６極以上の多極磁界とした速度変調コイルを備えるものである。また、本発明に係る投写型表示装置は、上記構成の投写用陰極線管を用いて構成されるものである。
【００１２】
上記構成の投写用陰極線管とこれを用いた投写型表示装置では、複数の電子ビームの各々を蛍光面上で水平方向に走査する際の走査速度を変調する速度変調磁界を速度変調コイルで発生するにあたって、速度変調磁界の磁界分布を上下非対称の６極以上の多極磁界とすることにより、従来における２極磁界に比較して磁束密度を調整する際の自由度が高くなる。そのため、複数の電子ビームのうち、第１の電子ビームには速度変調磁界を強く作用させ、第２の電子ビームには速度変調磁界を作用させないように、速度変調磁界の磁束密度分布を調整することが可能となる。
【００１３】
【発明の実施の形態】
以下、本発明の実施の形態について図面を参照しつつ詳細に説明する。
【００１４】
図１は本発明が適用される投写型表示装置の構成例を概略的に示すもので、（ａ）はその正面図、（ｂ）はその側断面図である。図示した投写型表示装置１の前面側には映写スクリーン２が設けられている。また、投写型表示装置１の背面側には映写スクリーン２と対向するように反射ミラー３が設けられている。反射ミラー３は、映写スクリーン２と緑色画像用投写レンズ５Ｇとの間にその中心軸を一致させた状態で配置されている。レンズカプラ６は、緑色画像用投写レンズ５Ｇ、青色画像用投写レンズ５Ｂ、赤色画像用投写レンズ５Ｒを物理的に結合保持するものである。
【００１５】
緑色画像用投写レンズ５Ｇは、緑色画像用の投写用陰極線管７Ｇの後述するパネル部フェースプレート１２ａ−１（図２参照）の近傍に、これと中心軸を一致させた状態で対向状態に配置される。また、青色画像用投写レンズ５Ｂは、青色画像用の投写用陰極線管７Ｂのパネル部フェースプレート１２ａ−１の近傍に、これと中心軸を一致させた状態で対向状態に配置され、赤色画像用投写レンズ５Ｒは、赤色画像用の投写用陰極線管７Ｒのパネル部フェースプレート１２ａ−１の近傍に、これと中心軸を一致させた状態で対向状態に配置される。
【００１６】
この投写型表示装置１では、緑色画像用の投写用陰極線管７Ｇのパネル部フェースプレート１２ａ−１に表示された緑色画像、青色画像用の投写用陰極線管７Ｂのパネル部フェースプレート１２ａ−１に表示された青色画像、赤色画像用の投写用陰極線管７Ｒのパネル部フェースプレート１２ａ−１に表示された赤色画像といった３つの画像が、それぞれレンズカプラ６によって結合保持された対応する３色の投写レンズ５Ｇ，５Ｂ，５Ｒを通して集光及び拡大される。拡大された画像は、反射ミラー３を介して映写スクリーン２上に投写される。これにより、映写スクリーン２には、緑色、青色、赤色の３色の画像を重ね合わせたカラー画像が表示される。
【００１７】
図２は各画像色（緑色画像、青色画像、赤色画像）に対応する投写用陰極線管７Ｇ，７Ｂ，７Ｒの構成例を示す側断面図である。なお、各画像色の投写用陰極線管７Ｇ，７Ｂ，７Ｒは、それぞれ表示する画像の色に応じて蛍光体の色が異なるものの、それ以外の構成は同様である。投写用陰極線管（７Ｇ，７Ｂ，７Ｒ）のガラス製のバルブは、パネル部１２ａと、このパネル部１２ａにフリットシールで接合されるファンネル部１２ｂと、このファンネル部１２ｂから一体に延出したネック部１２ｃとから構成されている。ネック部１２ｃには電子銃１３が内蔵されている。この電子銃１３は２つのカソードを有し、各々のカソードから独立に電子ビームを放射するものとなっている。一方、パネル部１２ａは、その前面にフェースプレート１２ａ−１を有している。フェースプレート１２ａ−１の内面には、単色（緑色、青色又は赤色）の蛍光面１２ａ−２と、メタルバックとなるアルミニウム蒸着膜１４が形成されている。アルミニウム蒸着膜１４は、必要に応じて形成されるものである。
【００１８】
ファンネル部１２ｂの外周には、主偏向ヨーク１５が装着されるとともに、主偏向ヨーク１５よりネック部１２ｃ側にはコンバーゼンスヨーク兼用のサブ偏向ヨーク１６と速度変調コイル１７が装着されている。サブ偏向ヨーク１６は、図１に示す映写スクリーン２上に現れる３色の画像の光学的な歪みを調整（補正）するためのものである。速度変調コイル１７は、後述する速度変調装置の主要部となるもので、これはサブ偏向ヨーク１６よりも電子銃１３側に装着されている。速度変調装置は、速度変調コイル１７と、この速度変調コイル１７に速度変調電流を供給する電流供給回路（不図示）とを用いて構成されるものである。速度変調コイル１７は、電子ビームを蛍光面上で水平方向に走査する際の走査速度（水平走査速度）を変調することにより、映像の輪郭部分（明暗のメリハリ）を強調し、表示画像の鮮鋭度を向上させるためのものである。これら主偏向ヨーク１５、サブ偏向ヨーク１６及び速度変調コイル１７は一体化され、これによって磁束集束装置１８が構成されている。
【００１９】
一方、電子銃１３は、垂直方向に位置をずらして配置された上下一対のカソード１３Ａ，１３Ｂを有している。各々のカソード１３Ａ，１３Ｂは独立に電子ビームを放出するものである。各々のカソード１３Ａ，１３Ｂから放出された２本の電子ビームは、上下の位置関係、さらに詳しくは管軸に直交する垂直軸上で上下に位置がずれた状態で電子銃１３から出射される。この電子銃１３から出射された電子ビームは、速度変調コイル１７で水平方向の走査速度が変調されるとともに、サブ偏向ヨーク１６及び主偏向ヨーク１５で所定方向に偏向された後、単色（緑色、青色又は赤色）の蛍光面１２ａ−２に投射される。速度変調コイル１７の構成については後段で詳しく説明する。
【００２０】
図３は磁束集束装置１８の側面拡大図である。磁束集束装置１８は、主偏向ヨーク１５、サブ偏向ヨーク１６及び速度変調コイル１７を一体化して構成されている。主偏向ヨーク１５は、水平偏向コイル２０と、垂直偏向コイル２１と、偏向ヨークコア２２と、セパレータ２３とを用いて構成されている。水平偏向コイル２０は、電子ビームを水平方向に偏向する水平偏向磁界を形成するもので、垂直偏向コイル２１は、電子ビームを垂直方向に偏向する垂直偏向磁界を形成するものである。偏向ヨーク用コア２２は、フェライト等の磁性体からなるもので、偏向コイル２０，２１を覆うように装着される。セパレータ２３は、水平偏向コイル２０と垂直偏向コイル２１の間で電気的な絶縁作用をなすもので、このセパレータ２３によって偏向コイル２０，２１と偏向ヨーク用コア２２が一体に保持されている。また、セパレータ２３は管軸方向で電子銃側に延出しており、この延出部分によりサブ偏向ヨーク１６及び速度変調コイル１７が保持されている。
【００２１】
図４は蛍光面における２本の電子ビーム１９Ａ，１９Ｂによる走査線の軌跡を説明する図である。図４において、上側の電子ビーム１９Ａは上述した上側のカソード１３Ａから放出されるもので、下側の電子ビーム１９Ｂは、上述した下側のカソード１３Ｂから放出されるものである。上側の電子ビーム１９Ａは、下側の電子ビーム１９Ｂよりも少し遅れて（例えば垂直方向に２〜１０Ｈ程度の間隔をあけて）蛍光面１２ａ−２を走査する。ただし、水平方向では２本の電子ビーム１９Ａ，１９Ｂの走査位置が完全に一致したものとなっている。この図４においては、２本の電子ビーム１９Ａ，１９Ｂの走査位置が垂直方向に３Ｈずれた状態を示している。このように電子ビームの走査位置をずらす理由は、２本の電子ビーム１９Ａ，１９Ｂで同時に蛍光面の同じ位置を走査すると蛍光体の輝度が飽和して２倍の明るさが得られず、各々の電子ビーム１９Ａ，１９Ｂの走査位置を垂直方向に適度にずらすと２倍の明るさが得られるためである。
【００２２】
図５は本発明の実施形態で採用した速度変調コイルの構成と磁束密度分布を示すもので、（ａ）は速度変調コイルの側面図、（ｂ）は速度変調コイルの断面図、（ｃ）は磁束密度分布をそれぞれ示している。図５（ａ），（ｂ）に示すように、速度変調コイル１７は、６つのコイル２４Ａ〜２４Ｆによって構成されている。これら６つのコイル２４Ａ〜２４Ｆは、セパレータ２３から延出した保持筒２３Ａの外周部に巻線されている。さらに詳述すると、コイル２４Ａは、垂直軸Ｙを中心に保持筒２３Ａの上部（頂部）に位置するように巻線され、コイル２４Ｂ，２４Ｃは、管軸Ｚを中心とした円周方向でコイル２４Ａの両側に位置するように巻線されている。コイル２４Ｂ，２４Ｃの各巻線中心位置は、円周方向で水平軸Ｘ上の位置よりも若干上側に寄っている。コイル２４Ｄ，２４Ｅは、水平軸Ｘよりも下側に位置するように巻線され、コイル２４Ｆは、垂直軸Ｙを中心に保持筒２３Ａの下部に位置するように巻線されている。
【００２３】
これにより、管軸Ｚを中心とした円周方向では、コイル２４Ａがコイル２４Ｂ，２４Ｃの間に配置され、コイル２４Ｆがコイル２４Ｄ，２４Ｅの間に配置されている。また、コイル２４Ｂは、コイル２４Ａとコイル２４Ｄの間に配置され、コイル２４Ｃは、コイル２４Ａとコイル２４Ｅの間に配置されている。これら６つのコイル２４Ａ，２４Ｆの巻線位置（巻線分布）は、垂直軸Ｙを基準にほぼ線対称な位置関係となっている。また、円周方向における各コイルの巻線範囲を比較すると、コイル２４Ａの巻線範囲はコイル２４Ｆの巻線範囲よりも大きく設定され、コイル２４Ｂ，２４Ｃの巻線範囲はコイル２４Ｄ，２４Ｅの巻線範囲よりも大きく設定されている。
【００２４】
さらに、上述した６つのコイル２４Ａ〜２４Ｆは、速度変調コイル１７に速度変調電流が流れたときに、円周方向で隣り合うコイルが異なる磁極を形成するように、それぞれ巻線方向が設定されている。すなわち、図５（ｂ）に示すように、コイル２４ＡがＮ極を形成するときは、これに隣り合うコイル２４Ｂ，２４ＣがそれぞれＳ極を形成する。また、コイル２４Ｂに隣り合うコイル２４Ｄと、コイル２４Ｃに隣り合うコイル２４Ｅは、それぞれＮ極を形成し、コイルＬ２４Ｄ，２４Ｅに隣り合うコイル２４ＥはＳ極を形成する。各々のコイル２４Ａ〜２４Ｆが形成する磁極の極性は、速度変調コイル１７に流れる速度変調電流の向きに応じて変化（反転）する。また、上寄りに配置されたコイル２４Ａ〜２４Ｃは、下寄りに配置されたコイル２４Ｄ〜２４Ｆよりも強い磁界を形成する。さらに、コイル２４Ｂ，２４Ｃは互いに同じ強さの磁極を形成し、コイル２４Ｄ，２４Ｅも互いに同じ強さの磁極を形成する。
【００２５】
これにより、６つのコイル２４Ａ〜２４Ｆからなる速度変調コイル１７に速度変調電流を流した場合に形成される速度変調磁界は、陰極線管の中心軸方向（管軸方向）から見て、上下方向では非対称でかつ左右方向では対称な６極磁界（多極磁界）となっている。このような上下非対称の６極磁界を採用することにより、上側の電子ビーム１９Ａには速度偏向コイル１７による速度変調磁界を強く作用させ、下側の電子ビーム１９Ｂには速度変調磁界を作用させないように、垂直軸Ｙ上での磁束密度分布を適宜調整することができる。
【００２６】
具体的には、図５（ｃ）に示すように、２本の電子ビーム１９Ａ，１９Ｂが上下の位置関係で通過する垂直軸上（Ｙ軸上）において、上側の電子ビーム１９Ａが通る位置で磁束密度が非常に高く、下側の電子ビーム１９Ｂが通る位置では磁束密度がほぼゼロの状態が得られる。特に、速度変調磁界を上下非対称の６極磁界とした場合は、各磁極での磁力の強弱によって磁束密度を調整する際の自由度が高くなる。そのため、下側の電子ビーム１９Ｂに作用する磁界が垂直軸上で互いに打ち消し合うように、各コイルの巻線状態（円周方向での巻線領域、巻線ターン数など）を調整することにより、電子ビーム１９Ｂのビーム径全域にわたって磁束密度がほぼゼロのフラットな状態が得られる。
【００２７】
したがって、速度変調コイル１７が発生する速度変調磁界を上下非対称の６極磁界とした場合は、下側の電子ビーム１９Ｂの走査速度を変調させることなく、上側の電子ビーム１９Ａの走査速度だけを変調させることができる。また、上記６つのコイル２４Ａ〜２４Ｆの巻線位置を円周方向で１８０°ずらすことで、各々のコイルの位置関係を上下反転させた場合は、上側の電子ビーム１９Ａの走査速度を変調させることなく、下側の電子ビーム１９Ｂの走査速度だけを変調させることができる。
【００２８】
その結果、２つの電子ビーム１９Ａ，１９Ｂの各々に対応する２つの速度変調コイル１７、すなわち６つのコイル２４Ａ〜２４Ｆの巻線位置を円周方向で互いに１８０°ずらした２つの速度変調コイル１７を用いることにより、２本の電子ビーム１９Ａ，１９Ｂの走査速度をそれぞれ独立に変調することが可能となる。よって、電子ビーム１９Ａの映像信号に同期した速度変調電流を一方の速度変調コイル１７に供給するとともに、電子ビーム１９Ｂの映像信号に同期した速度変調電流を他方の速度変調コイル１７に供給することにより、各々の電子ビーム１９Ａ，１９Ｂの走査速度をそれぞれ適切なタイミングで変調することができる。したがって、表示画像の画質を劣化させることなく、輝度の向上と鮮鋭度の向上を同時に実現することが可能となる。
【００２９】
また、２つの速度変調コイル１７を用いる場合に、それら２つの速度変調コイルを管軸方向の同じ位置に巻線すると、コイル同士が重なって磁気的に結合した状態となる。そのため、２つの速度変調コイル１７の間で磁気結合による誘導が起こる。実際の動作時には、一方の速度変調コイルに速度変調電流を供給したときに、磁気結合による誘導によって他方の速度変調コイルに電流が流れる現象、すなわちクロストークが問題となる。このクロストークは、各々の電子ビーム１９Ａ，１９Ｂの走査速度を独立に変調する際の妨げとなる。
【００３０】
そこで本実施形態においては、図６（ａ）に示すように、上側の電子ビーム１９Ａの水平方向の走査速度を変調する第１の速度変調コイル１７−１と、下側の電子ビーム１９Ｂの水平方向の走査速度を変調する第２の速度変調コイル１７−２を、互いにコイルの巻線位置が重ならないよう、管軸Ｚ方向に位置をずらして配置することとした。
【００３１】
第１の速度変調コイル１７−１は、図６（ｂ）に示す６つのコイル２４Ａ−１〜２４Ｆ−１によって構成されるもので、第２の速度変調コイル１７−２は、図６（ｃ）に示す６つのコイル２４Ａ−２〜２４Ｆ−２によって構成されるものである。第１の速度変調コイル１７−１と第２の速度変調コイル１７−２では、６つのコイルの巻線位置が円周方向で１８０°ずれたものとなっている。
【００３２】
このように管軸Ｚ方向に位置をずらして２つの速度変調コイル１７−１，１７−２を配置（巻線）することにより、コイル同士が磁気的に結合することがないため、実動作時でのクロストークの発生を回避することができる。したがって、２つの電子ビーム１９Ａ，１９Ｂの走査速度を精度良く変調することができる。
【００３３】
なお、上記実施形態においては、６つのコイルによって速度変調コイルを構成することにより、速度変調磁界を上下非対称の６極磁界としたが、本発明はこれに限らず、例えば図７に示すように、円周方向に配置した８つのコイル２５Ａ〜２５Ｈによって速度変調コイルを構成することにより、速度変調磁界を上下非対称の８極磁界とすることも可能であり、また図示はしないが上下非対称の１０極磁界とすることも可能である。すなわち、本願発明においては、速度変調磁界として上下非対称の６極以上の多極磁界を採用することにより、垂直軸上での磁界の相互作用によって図５（ｃ）のような磁束密度分布を得ることができる。また、上下非対称の６極磁界は、例えば図５（ｂ）におけるコイル２４Ｆを無くして、そこを仮想的な磁極として存在させることにより、５つのコイルを用いて形成することも可能である。
【００３４】
図８は速度変調磁界を上下非対称の６極磁界とした場合と８極磁界とした場合に得られた磁束密度分布のシミュレーション結果を示すものである。この図８からも分かるように、複数の電子ビームが上下の位置関係で配置されるＹ軸上では、一方の電子ビーム（例えば上側の電子ビーム１９Ａ）の通過位置（０．０００５目盛り付近）で磁束密度が高くなっているのに対し、他方の電子ビーム（例えば下側の電子ビーム１９Ｂ）の通過位置（−０．００５目盛り付近）で磁束密度がほぼゼロのフラットな状態が得られている。
【００３５】
また、上記実施形態においては、セパレータ２３から延出した保持筒２３Ａに複数のコイルを巻線して速度偏向コイルを構成するものとしたが、これ以外にも、例えばポリイミドフィルム等を基材としたフレキシブル基板に渦巻き状の導体パターンによって複数のコイルを形成し、このコイル付きのフレキシブル基板をネック部に巻き付けて速度変調コイルを構成するものとしてもよい。
【００３６】
【発明の効果】
以上説明したように本発明によれば、速度変調コイルが発生する速度変調磁界の磁界分布を上下非対称の６極以上の多極磁界とすることにより、磁束密度を調整する際の自由度が高くなるため、その磁束密度分布を適宜調整することにより、複数の電子ビームの走査速度を独立に調整することが可能となる。
【図面の簡単な説明】
【図１】本発明が適用される投写型表示装置の構成例を概略的に示す図である。
【図２】本発明の実施形態に係る投写用陰極線管の構成例を示す側断面図である。
【図３】磁束集束装置の側面拡大図である。
【図４】蛍光面における２本の電子ビームによる走査線の軌跡を説明する図である。
【図５】本発明の実施形態で採用した速度変調コイルの構成と磁束密度分布を示す図である。
【図６】複数の速度変調コイルを用いた場合のコイル配置状態を説明する図である。
【図７】速度変調磁界を８極磁界とした場合の速度変調コイルの構成例を示す断面図である。
【図８】速度変調磁界を上下非対称の６極磁界とした場合と８極磁界とした場合に得られた磁束密度分布のシミュレーション結果を示す図である。
【図９】投写型表示装置の要部の概略構成を示す説明図である。
【図１０】投写型表示装置に用いられる投写用陰極線管の構成例を示す断面図である。
【図１１】従来の速度変調コイルの構成を示す図である。
【図１２】２本の電子ビームの走査速度を２極の速度変調磁界で変調するときの状態を示す図である。
【符号の説明】
１…投写型表示装置、７Ｇ，７Ｂ，７Ｒ…投写用陰極線管、１３…電子銃、１２ａ−２…蛍光面、１５…主偏向ヨーク、１７，１７−１，１７−２…速度変調コイル、１９Ａ，１９Ｂ…電子ビーム、２４Ａ〜２４Ｆ，２４Ａ−１〜２４Ｆ−１，２４Ａ−２〜２４Ｆ−２，２５Ａ〜２５Ｈ…コイル
【図１】
2004080651.tif 000003
【図２】
2004080651.tif 000004
【図３】
2004080651.tif 000005
【図４】
2004080651.tif 000006
【図５】
2004080651.tif 000007
【図６】
2004080651.tif 000008
【図７】
2004080651.tif 000009
【図８】
2004080651.tif 000010
【図９】
2004080651.tif 000011
【図１０】
2004080651.tif 000012
【図１１】
2004080651.tif 000013
【図１２】
2004080651.tif 000014